(57)【特許請求の範囲】
【請求項１】
所定の説明とリンクした注目オブジェクトが少なくとも一以上配置されたコンテンツを、自動的に一方向にスクロールし、
前記注目オブジェクトが選択されると、その注目オブジェトの説明を出力し、
前記コンテンツは、前記注目オブジェクトが配置された注目オブジェクトレイヤと、前記注目オブジェクトが透けて見えるような所定の透過度を持ち、前記注目オブジェクトを遮蔽する遮蔽オブジェクトが配置された遮蔽オブジェクトレイヤとを更に有する
情報表示方法。
【請求項２】
前記注目オブジェクトの色を変化させる動作、前記注目オブジェクトのコントラストを変更する動作、前記注目オブジェクトを点灯又は点滅させる動作、前記注目オブジェクトを動的に変化させる動作の少なくともいずれかの動作を行い、
前記注目オブジェクトを、所定の説明とリンクしていないオブジェクトと視覚的に区別できるように表示する
請求項１に記載の情報表示方法。
【請求項３】
前記注目オブジェクトにカーソル又はポインタが接触すると、
前記注目オブジェクトの色を変化させる動作、前記注目オブジェクトのコントラストを変更する動作、前記注目オブジェクトを点灯又は点滅させる動作、前記注目オブジェクトを動的に変化させる動作の少なくともいずれかの動作を行い、
前記注目オブジェクトを、所定の説明とリンクしていないオブジェクトと視覚的に区別できるように表示する
請求項１又は請求項２に記載の情報表示方法。
【請求項４】
カーソル又はポインタにより、前記注目オブジェクトが選択されると、前記注目オブジェクトを拡大し、選択された注目オブジェクトの説明を出力する
請求項１から請求項３のいずれかに記載の情報表示方法。
【請求項５】
前記遮蔽オブジェクトレイヤは、前記注目オブジェクトレイヤよりも早い速度で、前記注目オブジェクトレイヤと同一方向にスクロールする
請求項１から請求項４のいずれかに記載の情報表示方法。
【請求項６】
カーソル又はポインタにより、前記注目オブジェクトが選択されると、
前記注目オブジェクトの拡大速度よりも早く、前記注目オブジェクトを遮蔽する前記遮蔽オブジェクトレイヤの遮蔽オブジェクトを拡大し、
前記遮蔽オブジェクトの拡大に従って前記遮蔽オブジェクトレイヤの透過度が徐々に高くなる
請求項１から請求項５のいずれかに記載の情報表示方法。
【請求項７】
前記注目オブジェクト間を移動する誘導用オブジェクトを表示する
請求項１から請求項６のいずれかに記載の情報表示方法。
【請求項８】
互い関連する注目オブジェクト同士の色を変化させる動作、前記注目オブジェクト同士のコントラストを変更する動作、前記注目オブジェクト同士を点灯又は点滅させる動作、注目オブジェクト同士を動的に変化させる動作の少なくともいずれかの動作を行い、
互い関連する注目オブジェクトを視認させる
請求項１から請求項７のいずれかに記載の情報表示方法。
【請求項９】
前記注目オブジェトの説明の出力は、説明文の表示又は音声による説明である
請求項１から請求項８のいずれかに記載の情報表示方法。
【請求項１０】
所定の説明とリンクした注目オブジェクトが少なくとも一以上配置されたコンテンツを、自動的に一方向にスクロールし、前記注目オブジェクトが選択されると、その注目オブジェトの説明を出力するコンテンツ制御手段を
有し、
前記コンテンツ制御手段は、
前記注目オブジェクトが配置された注目オブジェクトレイヤと、前記注目オブジェクトが透けて見えるような所定の透過度を持ち、前記注目オブジェクトを遮蔽する遮蔽オブジェクトが配置された遮蔽オブジェクトレイヤとを同一方向にスクロール表示する
情報処理装置。
【請求項１１】
前記コンテンツ制御手段は、
前記注目オブジェクトの色を変化させる動作、前記注目オブジェクトのコントラストを変更する動作、前記注目オブジェクトを点灯又は点滅させる動作、前記注目オブジェクトを動的に変化させる動作の少なくともいずれかの動作を行い、
前記注目オブジェクトを、所定の説明とリンクしていないオブジェクトと視覚的に区別できるように表示する
請求項１０に記載の情報処理装置。
【請求項１２】
前記コンテンツ制御手段は、
前記注目オブジェクトにカーソル又はポインタが接触すると、
前記注目オブジェクトの色を変化させる動作、前記注目オブジェクトのコントラストを変更する動作、前記注目オブジェクトを点灯又は点滅させる動作、前記注目オブジェクトを動的に変化させる動作の少なくともいずれかの動作を行い、
前記注目オブジェクトを、所定の説明とリンクしていないオブジェクトと視覚的に区別できるように表示する
請求項１０又は請求項１１に記載の情報処理装置。
【請求項１３】
前記コンテンツ制御手段は、カーソル又はポインタにより、前記注目オブジェクトが選択されると、前記注目オブジェクトを拡大し、選択された注目オブジェクトの説明を出力する
請求項１０から請求項１２のいずれかに記載の情報処理装置。
【請求項１４】
前記コンテンツ制御手段による前記遮蔽オブジェクトレイヤのスクロール速度は、前記注目オブジェクトレイヤよりも早い
請求項１０から請求項１３のいずれかに記載の情報処理装置。
【請求項１５】
前記コンテンツ制御手段は、
カーソル又はポインタにより、前記注目オブジェクトが選択されると、
前記注目オブジェクトの拡大速度よりも早く、前記注目オブジェクトを遮蔽する前記遮蔽オブジェクトレイヤの遮蔽オブジェクトを拡大し、
前記遮蔽オブジェクトの拡大に従って前記遮蔽オブジェクトレイヤの透過度を徐々に高くする
請求項１０から請求項１４のいずれかに記載の情報処理装置。
【請求項１６】
前記コンテンツ制御手段は、前記注目オブジェクト間を移動する誘導用オブジェクトを表示する
請求項１０から請求項１５のいずれかに記載の情報処理装置。
【請求項１７】
コンテンツ制御手段は、互い関連する注目オブジェクト同士の色を変化させる動作、前記注目オブジェクト同士のコントラストを変更する動作、前記注目オブジェクト同士を点灯又は点滅させる動作、注目オブジェクト同士を動的に変化させる動作の少なくともいずれかの動作を行い、
互い関連する注目オブジェクト同士を視認させる
請求項１０から請求項１６のいずれかに記載の情報処理装置。
【請求項１８】
コンテンツ制御手段は、前記注目オブジェクトが選択されると、前記注目オブジェトの説明文を表示、又は説明文の音声を出力する
請求項１０から請求項１７のいずれかに記載の情報処理装置。
【請求項１９】
所定の説明とリンクした注目オブジェクトが少なくとも一以上配置されたコンテンツを、自動的に一方向にスクロールする処理と、
前記注目オブジェクトが選択されると、その注目オブジェトの説明を出力する処理と
をコンピュータに実行させ、
前記コンテンツは、前記注目オブジェクトが配置された注目オブジェクトレイヤと、前記注目オブジェクトが透けて見えるような所定の透過度を持ち、前記注目オブジェクトを遮蔽する遮蔽オブジェクトが配置された遮蔽オブジェクトレイヤとを更に有する
プログラム。
【請求項２０】
カーソル又はポインタにより、前記注目オブジェクトが選択されると、前記注目オブジェクトの拡大速度よりも早く、前記注目オブジェクトを遮蔽する前記遮蔽オブジェクトレイヤの遮蔽オブジェクトを拡大し、前記遮蔽オブジェクトの拡大に従って前記遮蔽オブジェクトレイヤの透過度を徐々に高くする処理を前記コンピュータに実行させる請求項１９に記載のプログラム。
【発明の詳細な説明】
【技術分野】
【０００１】
本発明は、情報表示方法、情報処理装置及びプログラムに関するものである。
【背景技術】
【０００２】
ウェブページは、主にHTMLやXHTMLといったハイパーテキスト記述言語が使用され、ドキュメントに別のドキュメントのURIへの参照を埋め込むことで他の記録媒体上に散在するドキュメント同士を相互に参照可能にするシステムである。主にマウスによるクリックなどによってページ間を移動することや、別のファイルである画像をドキュメント内に表示させることができる。
【０００３】
上述の技術を応用し、一般に、容易に閲覧することが困難な絵巻物を、閲覧可能とし、解説画像データ及び解説文を表示する技術が特許文献１に記載されている。
【０００４】
特許文献１の技術は、連続の画像データが画像データファイルに格納されており、また、画像データファイルに格納された画像データを、該画像データを所定の領域毎に区分けて解説するための解説画像データが、区分けられた領域毎に解説画像データファイルに格納されており、また、画像データファイルに格納された画像データを、該画像データを所定の領域毎に区分けて解説するための解説文が、区分けられた領域毎に解説文データファイルに格納されており、さらに、画像データファイルに格納された画像データと解説画像データファイルに格納された解説画像データと解説文データファイルに格納された解説文との対応づけが対応データベースに登録されている。情報の入力及び表示が可能な情報処理装置にて画像データ検索・閲覧システムを起動し、情報処理装置を介して所望の条件を入力すると、入力された条件が条件入力手段にて判断され、データ検索手段において、条件入力手段にて判断された条件に基づいて対応データベースが参照されて、判断された条件に対応する画像データ、解説画像データ及び解説文が、画像データファイル、解説画像データファイル及び解説文データファイルからそれぞれ検索される。検索された画像データ、解説画像データ及び解説文はデータ出力手段から出力され、その後、情報処理装置にて表示される。
【０００５】
対応データベースに、区分けられた画像データの領域毎に当該画像データそれぞれの位置情報を登録しておけば、例えば、画像データが情報処理装置上に表示されている状態にて当該画像データが指定された場合、条件入力手段にて当該画像データの位置情報が認識され、その後、データ検索手段において、対応データベースが参照されて、条件入力手段にて認識された位置情報に対応する画像データを解説するための解説画像データ及び解説文が検索されることになる。
【０００６】
また、データ検索手段において、位置情報に対応する画像データの区分け領域内にさらに解説画像データ及び解説文が登録された画像データが存在する場合、当該画像データを解説するための解説画像データ及び解説文が検索される。
【０００７】
このように、連続した画像データ、並びにこの画像データを解説するための解説画像データ及び解説文が予め格納されており、所望の条件を入力した場合にこの条件に対応した画像データが検索されて出力されたり、あるいは所望の画像データを指定した場合に、この画像データを解説するための解説画像データが検索されて表示されたりするので、絵巻物等の連続した画像データを容易に検索、閲覧することができるようになる。
【先行技術文献】
【特許文献】
【０００８】
【特許文献１】特開２００３−１７３３５８号公報
【発明の概要】
【発明が解決しようとする課題】
【０００９】
しかしながら、特許文献１の技術は、既にある歴史的な絵巻物を閲覧する際に、閲覧者が積極的に、多くの絵巻物のシーンから特定のシーンを検索、又は、そのシーンの解説の検索を容易にするための技術であった。
【００１０】
一方、上記のような閲覧者が積極的に検索するものとは逆に、コンテンツの作成者が閲覧者に、コンテンツの先にはどのようなものがあるのか興味を持たせ、コンテンツのリンク先を閲覧してもらいたいというコンテンツもある。
【００１１】
特許文献１に記載された技術は、閲覧者がある程度の目的を持って、コンテンツを閲覧するのものでは有効な方法ではあるが、コンテンツの作成者が閲覧者に、コンテンツの先にはどのようなものがあるのか興味を持たせ、コンテンツのリンク先を閲覧してもらいたいというコンテンツでは、有効な方法とはいえない。
【００１２】
更に、閲覧者にコンテンツに対して興味を持たせるためには、静止画のようなコンテンツでは難しいものがあった。
【００１３】
そこで、本発明は上記課題に鑑みて発明されたものであって、その目的は、閲覧者がコンテンツに興味持ち、コンテンツの中のオブジェクトにリンクされている説明を閲覧してみたいと思わせる情報表示方法、情報処理装置及びプログラムを提供することにある。
【課題を解決するための手段】
【００１４】
上記課題を解決する本発明は、所定の説明とリンクした注目オブジェクトが少なくとも一以上配置されたコンテンツを、自動的に一方向にスクロールし、前記注目オブジェクトが選択されると、そのオブジェトの説明を出力する情報表示方法である。
【００１５】
上記課題を解決する本発明は、所定の説明とリンクした注目オブジェクトが少なくとも一以上配置されたコンテンツを、自動的に一方向にスクロールし、前記注目オブジェクトが選択されると、そのオブジェトの説明を出力するコンテンツ制御手段を有する情報処理装置である。
【００１６】
上記課題を解決する本発明は、所定の説明とリンクした注目オブジェクトが少なくとも一以上配置されたコンテンツを、自動的に一方向にスクロールする処理と、前記注目オブジェクトが選択されると、そのオブジェトの説明を出力する処理とをコンピュータに実行させるプログラムである。
【発明の効果】
【００１７】
本発明によれば、閲覧者がコンテンツに興味持ち、コンテンツの中のオブジェクトにリンクされている説明を閲覧してみたいと思わせるコンテンツを表示することができる。
【図面の簡単な説明】
【００１８】
【図１】図１は第１の実施の形態を説明するための図である。
【図２】図２は第１の実施の形態を説明するための図である。
【図３】図３は第１の実施の形態を説明するための図である。
【図４】図４は第１の実施の形態の情報表示装置のブロック図である。
【図５】図５は第１の実施の形態における動作フローチャートである。
【図６】図６は第１の実施の形態の動作を説明するための図である。
【図７】図７は第１の実施の形態の動作を説明するための図である。
【図８】図８は第１の実施の形態の動作を説明するための図である。
【図９】図９は第２の実施の形態を説明するための図である。
【図１０】図１０は第３の実施の形態を説明するための図である。
【発明を実施するための形態】
【００１９】
本発明の第１の実施の形態を説明する。
【００２０】
第１の実施の形態は、所定の説明とリンクした注目オブジェクトが少なくとも一以上配置されたコンテンツを、自動的に一方向にスクロールし、注目オブジェクトが選択されると、そのオブジェトの説明を出力することを特徴とする。
【００２１】
図１は第１の実施の形態を説明するための図である。
【００２２】
図１では、ひとつのコンテンツが自動的に左方向にスクロールするコンテンツを示している。ここで、コンテンツのスクロールとは、スクロールの語源の如く、絵巻物のようなある一定の長さを持ったひとつのコンテンツを読むように、一方向に画像が流れるように移動することを言う。そして、本実施の形態では、このスクロールが自動的に行われる。スクロールの方向は、ある定まった一方向であれば、上下左右のどの方向でもかまわない。また、スクロールの速度は、一定の速度でかまわないが、変化を与えるために速度を早くしたり、遅くしたりしても良い。尚、本実施の形態では、スクロールは、画面向かって右方向に一定の速度でスクロールするものとする。
【００２３】
図１を参照すると、コンテンツの中には２種類のオブジェクトが存在する。ひとつは、コンテンツを絵巻風に表現するためのキャラクター（図１では、木や建物）としてオブジェクトと、ユーザ（コンテンツの閲覧者）に注目してもらいたいオブジェクトである。以下の説明では、絵巻風に表現するためのキャラクターのオブジェクトを単にオブジェクト２と記載し、ユーザ（コンテンツの閲覧者）に注目してもらいたいオブジェクトを注目オブジェクト１と記載する。
【００２４】
注目オブジェクト１は、注目オブジェクト１などの説明などにリンクされているオブジェクトである。そして、注目オブジェクト１がポインタやカーソル３により選択されると、リンクされている説明が出力される。尚、この説明の種類は問わない。また、説明の出力は、説明文をコンテンツ上に表示しても良いし、音声による説明の出力であっても良い。
【００２５】
また、注目オブジェクト１は、ユーザが他のオブジェクトと視覚的に区別できるように、注目オブジェクト１の色を変化させたり、注目オブジェクト１のコントラストを変更したり、注目オブジェクト１を点灯又は点滅させたり、注目オブジェクト１を動的に変化させたりすることが好ましい。
【００２６】
尚、通常のスクロール時には、他のオブジェクト２と同様にしておき、注目オブジェクト１の選択に先立ち、コンテンツ上のポインタやカーソル３が注目オブジェクト１に接触した場合に、接触した注目オブジェクト１の色を変化させたり、接触した注目オブジェクト１のコントラストを変更したり、接触した注目オブジェクト１を点灯又は点滅させたり、接触した注目オブジェクト１を動的に変化させたりしても良い。このような注目オブジェクト１の変化により、そのオブジェクトが注目オブジェクト１であり、その注目オブジェクト１を選択（クリック）してみたいと思い、ユーザがコンテンツ上の注目オブジェクトを選択する動機付けとなる。
【００２７】
尚、注目オブジェクト１の配置の仕方であるが、コンテンツが絵巻風のものであるので、コンテンツの配置に継時的な要素を加味しても良い。例えば、注目オブジェクト１やそれにリンクされる説明が時間的に変化するものであれば、スクロールの方向に沿って、古いものから新しいものへと、注目オブジェクト１を配置する。
【００２８】
また、図２に示す如く、コンテンツは、注目オブジェクト１と通常のオブジェクト２とが存在するレイヤ（以下、注目オブジェクトレイヤと記載する）とは別に、注目オブジェクト１や通常のオブジェクト２を遮蔽するオブジェクト（以下、遮蔽オブジェクトと記載する）が存在するレイヤ（以下、遮蔽オブジェクトレイヤと記載する）を設け、コンテンツを二層のレイヤで構成しても良い。そして、コンテンツをスクロールする際には、注目オブジェクトレイヤと遮蔽オブジェクトレイヤとのスクロール速度を異ならせる。スクロール速度に関しては、遮蔽オブジェクトレイヤのスクロール速度は、注目オブジェクトレイヤのスクロール速度よりも早い速度とする。このようにすることにより、コンテンツの遠近感を表現することができる。尚、遮蔽オブジェクトとは、雲や雨などのオブジェクトである。また、レイヤは２層に限らず、それ以上の多層のレイヤを用いても良い。
【００２９】
更に、遮蔽オブジェクトレイヤの透過度は０パーセントではなく、遮蔽するオブジェクトの先に注目オブジェクトと通常のオブジェクトが透けて見えるようなある一定の透過度を持つことが好ましい。注目オブジェクト１が遮蔽オブジェクトの先に透けて見えると、閲覧者は注目オブジェクト１は何だろうと興味を持つからである。
【００３０】
続いて、注目オブジェクトの選択について説明する。
【００３１】
コンテンツのスクロール時において、注目オブジェクトが選択（クリック）されると、図３のように、注目オブジェクトは拡大表示され、コンテンツのスクロールは中断される。このとき、選択された注目オブジェクトの拡大速度よりも早く、注目オブジェクトを遮蔽する遮蔽オブジェクトレイヤの遮蔽オブジェクトを拡大し、遮蔽オブジェクトの拡大に従って遮蔽オブジェクトレイヤの透過度が徐々に高くなるようにする。このようにすることにより、遮蔽オブジェクに遮蔽されていた注目オブジェクトが飛び出してくるような表現を演出することができる。そして、注目オブジェクトが拡大されると、その注目オブジェクトの説明文４が出力される。
【００３２】
次に、上述のコンテンツ表示を実現する情報表示装置について説明する。
【００３３】
図４は第１の実施の形態の情報表示装置のブロック図である。
【００３４】
図４に示される情報処理装置は、記録媒体１０と、表示部１１と、表示制御部１２と、マウス１３とを備える。
【００３５】
記録媒体１０はハードディスクやカードメモリ（例えば、ＵＳＢメモリやＳＤカードメモリなど）であり、コンテンツが格納されている。
【００３６】
表示部１２はディスプレイなどである。
【００３７】
表示制御部１３は、記録媒体１０からコンテンツを読み出して表示部１２にコンテンツを表示すると共に、ユーザによるマウス１３の操作による注目オブジェクトの選択やその後の処理を実行する。
【００３８】
続いて、上述の情報処理装置による具体的な動作を説明する。
【００３９】
図５は第１の実施の形態における動作フローチャートである。
【００４０】
まず、コンテンツの再生の指示を受けると、表示制御部１３はコンテンツのスクロールを開始する（Ｓｔｅｐ  １００）。本例では、図６のように、スクロールは、画面向かって左方向に一定の速度でスクロールするものとする。
【００４１】
表示制御部１３は、コンテンツの再生が終了したかを判定する（Ｓｔｅｐ  １０１）。終了している場合には、スクロールを停止する（Ｓｔｅｐ  １１１）。一方、コンテンツの再生が終了していない場合には、コンテンツのスクロールを続ける。
【００４２】
コンテンツのスクロール中に、マウス１３の操作等により、カーソル３が注目オブジェクト１に接触した場合には（Ｓｔｅｐ  １０２）、表示制御部１３は、カーソル３に接触した注目オブジェクト１を点灯させる（Ｓｔｅｐ  １０３）。図７は、カーソル３が注目オブジェクト１に接触し、注目オブジェクト１が点灯している様子を示している。
【００４３】
ここで、注目オブジェクトが選択（Ｓｔｅｐ  １０４）、例えば、カーソル３が注目オブジェクト１に接触しているときに、マウス１３によりクリックされると、表示制御部１３は、スクロールを停止する（Ｓｔｅｐ  １０５）。そして、表示制御部１３は、注目オブジェクト１を拡大（ズーム）し（Ｓｔｅｐ  １０６）、その注目オブジェクト１にリンクされている説明文を表示する（Ｓｔｅｐ  １０７）。図８は、選択された注目オブジェクト１が拡大表示されて、説明文が表示されている様子を示している。
【００４４】
続いて、注目オブジェクトの選択が解除されると（Ｓｔｅｐ  １０８）、表示制御部１３は、注目オブジェクトを通常の表示に戻し（Ｓｔｅｐ  １０９）、注目オブジェクトが選択された位置からコンテンツのスクロールを開始する（Ｓｔｅｐ  １１０）。そして、Ｓｔｅｐ  １０１に進む。
【００４５】
以上の如く、第１の実施の形態によれば、コンテンツを絵巻物のような表現にするとともに、閲覧者がコンテンツに興味持ち、コンテンツの中のオブジェクトにリンクされている説明を閲覧してみたいと思わせるコンテンツを表示することができる。特に、注目オブジェクトがカーソル又はポインタに接触したり、選択されたりすると、注目オブジェクトの色を変化させたり、コントラストを変更したり、点灯又は点滅させたり、動的に変化させたりしているので、コンテンツの中で注目オブジェクトが視覚的に興味を引くような表示となっている。
【００４６】
また、コンテンツを、注目オブジェクトレイヤと遮蔽オブジェクトレイヤとの多層レイヤとすることにより、遮蔽オブジェクト（例えば、雲）がかかるような表現をすることができ、コンテンツすべてを明示的に表現せず、見えない部分にも何かあるのではないかと、閲覧者に期待を持たせ、コンテンツの中のオブジェクトにリンクされている説明を閲覧してみたいと思わせるコンテンツを表示することができる。
【００４７】
第２の実施の形態を説明する。
【００４８】
第２の実施の形態は、注目オブジェクトへと誘導する誘導オブジェクトを表示する例を説明する。
【００４９】
第１の実施の形態では、コンテンツの中を移動するオブジェクトはないが、多数のオブジェクトの中で全ての注目オブジェクを探すのは容易ではない場合がある。そこで、注目オブジェクトへ誘導する誘導オブジェクトを表示する。
【００５０】
図９は注目オブジェクト間を移動する誘導オブジェクト５が表示例を示したものである。図９では、誘導オブジェクト５が矢印の経路に沿って順次注目オブジェクト間を移動する様子を示している。
【００５１】
第２の実施の形態によれば、第１の実施の形態の効果に加えて、容易に注目オブジェクを閲覧者に注目させることができる。
【００５２】
第３の実施の形態を説明する。
【００５３】
第１の実施の形態で説明した注目オブジェクト１はその説明が単独で完結するものもあるが、複数の注目オブジェクト１に渡って関連する話題を説明したい場合もある。
【００５４】
そこで、第３の実施の形態では、ある関連する注目オブジェクト１のひとつが、カーソル又はポインタに接触したり、選択されたりすると、その注目オブジェクト１の色を変化させたり、コントラストを変更したり、点灯又は点滅させたり、動的に変化させたりするのと同時に、その注目オブジェクト１に関連する注目オブジェクトについても、色を変化させたり、コントラストを変更したり、点灯又は点滅させたり、動的に変化させたりする。
【００５５】
図１０では、関連する注目オブジェクト１ａ，１ｂ，１ｃは関連する注目オブジェクトであり、他のオブジェクトよりもコントラストを高くしている様子を示している。
【００５６】
このように、第３の実施の形態では、関連する注目オブジェクト１ａ，１ｂ，１ｃを他のオブジェクトよりもコントラストを高くすることによって目立たせることにより、注目オブジェクト１ａ，１ｂ，１ｃが互いに関連している注目オブジェクトであることが、閲覧者に理解できる。
【００５７】
以上で本実施の形態の説明を終わるが、上述した説明からも明らかなように、表示制御部１３をハードウェアで構成することも可能であるが、コンピュータプログラムにより実現することも可能である。この場合、プログラムメモリに格納されているプログラムで動作するプロセッサによって、上述した各実施の形態と同様の機能、動作を実現させる。また、上述した実施の形態の一部の機能のみをコンピュータプログラムにより実現することも可能である。
【００５８】
以上好ましい実施の形態をあげて本発明を説明したが、本発明は必ずしも上記実施の形態に限定されるものではなく、その技術的思想の範囲内において様々に変形し実施することが出来る。
【符号の説明】
【００５９】
１      注目オブジェクト
２      通常のオブジェクト
３      カーソル
４      説明文
５      誘導オブジェクト
１０    記録媒体
１１    表示部
１２    表示制御部
１３    マウス
【図２】
0005812272.tif 000002
【図４】
0005812272.tif 000003
【図５】
0005812272.tif 000004
【図１】
0005812272.tif 000005
【図３】
0005812272.tif 000006
【図６】
0005812272.tif 000007
【図７】
0005812272.tif 000008
【図８】
0005812272.tif 000009
【図９】
0005812272.tif 000010
【図１０】
0005812272.tif 000011